(57)【要約】【課題】ディスプレイの表示方向を切り替えて使用してもキー入力がし易い携帯型電子機器を提供する。【解決手段】移動携帯電話端末１は、キーデバイス２およびディスプレイ３を有しており、キーデバイス２には複数のキーが並んで実装されている。キーには、それぞれの機能がディスプレイ３の表示方向に対して右４５度傾いて表示されている。そして、複数のキーのうちの表示方向切り替えボタン４を押すことにより、ディスプレイ３は縦表示、横表示を切り替えて表示する。【選択図】      図１
2005175669.tif 000002
【特許請求の範囲】
【請求項１】
画像を表示するディスプレイと、
操作のためのキーデバイスと、
前記キーデバイスからの指示によって前記ディスプレイに表示された画像の表示方向を回転させる画像回転手段とを有する携帯型電子機器であって、
前記キーデバイスは、前記ディスプレイに対して前記画像の表示方向の回転と同方向に回転した表示を表面に備えた複数のキーを有することを特徴とする携帯型電子機器。
【請求項２】
前記画像回転手段による前記表示方向の回転は９０度であることを特徴とする請求項１に記載の携帯型電子機器。
【請求項３】
前記複数のキーが有する表示の回転は４５度であることを特徴とする請求項２に記載の携帯型電子機器。
【請求項４】
画像を表示するディスプレイと、
操作のためのキーデバイスと、
前記キーデバイスからの指示によって前記ディスプレイに表示された画像の表示方向を回転させる画像回転手段とを有する携帯型電子機器であって、
前記キーデバイスは、前記画像回転手段による画像の表示方向の回転に対応して前記画像の表示方向の回転と同方向に表面の表示を回転する表示回転手段を備えた複数のキーを有することを特徴とする携帯型電子機器。
【請求項５】
前記画像回転手段による前記表示方向の回転は９０度であることを特徴とする請求項４に記載の携帯型電子機器。
【請求項６】
前記表示回転手段による表示の回転は９０度であることを特徴とする請求項５に記載の携帯型電子機器。
【請求項７】
画像を表示するディスプレイと、
操作のためのキーデバイスと、
前記キーデバイスからの指示によって前記ディスプレイに表示された画像の表示方向を回転させる画像回転手段とを有する携帯型電子機器であって、
前記キーデバイスは、前記画像回転手段による画像の表示方向の回転に対応して前記画像の表示方向の回転と同方向に表面の表示を回転するとともに表示内容を変更する表示変更手段を備えた複数のキーを有することを特徴とする携帯型電子機器。
【請求項８】
前記画像回転手段による前記表示方向の回転は９０度であることを特徴とする請求項７に記載の携帯型電子機器。
【請求項９】
前記表示変更手段による表示の回転は９０度であることを特徴とする請求項８に記載の携帯型電子機器。
【請求項１０】
前記複数のキーの表示内容の登録する登録手段を有し、前記キーデバイスからの指示によって、前記登録手段に登録された表示内容を変更することが出来ることを特徴とする請求項７乃至請求項９に記載の携帯型電子機器。
【請求項１１】
キーデバイスからの指示によってディスプレイに表示された画像の表示方向を９０度回転させるステップと、
前記画像の表示方向の回転に対応して、前記キーデバイスに備えられた複数のキーの表面の表示を、前記画像の表示方向の回転と同方向に回転するステップとを有することを特徴とする携帯型電子機器の表示方向切り替え方法。
【請求項１２】
前記複数のキーの表面の表示の回転は９０度であることを特徴とする請求項１１に記載の携帯型電子機器の表示方向切り替え方法。
【請求項１３】
キーデバイスからの指示によってディスプレイに表示された画像の表示方向を９０度回転させるステップと、
前記画像の表示方向の回転に対応して、前記キーデバイスに備えられた複数のキーの表面の表示を、前記画像の表示方向の回転と同方向に回転するとともにその表示内容を変更するステップとを有することを特徴とする携帯型電子機器の表示方向切り替え方法。
【請求項１４】
前記複数のキーの表面の表示の回転は９０度であることを特徴とする請求項１３に記載の携帯型電子機器の表示方向切り替え方法。
【請求項１５】
前記複数のキーの表示内容を登録するステップを有し、前記キーデバイスからの指示によって、登録された表示内容を変更することが出来ることを特徴とする請求項１３または請求項１４に記載の携帯型電子機器の表示方向切り替え方法。
【請求項１６】
画像を表示するディスプレイと、前記ディスプレイに表示された画像の表示方向を回転させる画像回転手段とを有する携帯型電子機器が、操作のために備えるキーデバイスであって、
前記画像回転手段に指示をして前記画像の表示方向の回転をさせる指示手段を有するとともに、前記画像の表示方向の回転と同方向に回転した表示を表面に備えた複数のキーを有することを特徴とするキーデバイス。
【請求項１７】
前記画像回転手段による前記表示方向の回転は９０度であることを特徴とする請求項１６に記載のキーデバイス。
【請求項１８】
前記複数のキーが有する表示の回転は４５度であることを特徴とする請求項１７に記載のキーデバイス。
【請求項１９】
画像を表示するディスプレイと、前記ディスプレイに表示された画像の表示方向を回転させる画像回転手段とを有する携帯型電子機器が、操作のために備えるキーデバイスであって、
前記画像回転手段に指示をして前記画像の表示方向の回転をさせる指示手段を有するとともに、前記画像回転手段による画像の表示方向の回転に対応して前記画像の表示方向の回転と同方向に表面の表示を回転する表示回転手段を備えた複数のキーを有することを特徴とするキーデバイス。
【請求項２０】
前記画像回転手段による前記表示方向の回転は９０度であることを特徴とする請求項１９に記載のキーデバイス。
【請求項２１】
前記表示回転手段による表示の回転は９０度であることを特徴とする請求項２０に記載のキーデバイス。
【請求項２２】
画像を表示するディスプレイと、前記ディスプレイに表示された画像の表示方向を回転させる画像回転手段とを有する携帯型電子機器が、操作のために備えるキーデバイスであって、
前記画像回転手段に指示をして前記画像の表示方向の回転をさせる指示手段を有するとともに、前記画像回転手段による画像の表示方向の回転に対応して前記画像の表示方向の回転と同方向に表面の表示を回転するとともに表示内容を変更する表示変更手段を備えた複数のキーを有することを特徴とするキーデバイス。
【請求項２３】
前記画像回転手段による前記表示方向の回転は９０度であることを特徴とする請求項２２に記載のキーデバイス。
【請求項２４】
前記表示変更手段による表示の回転は９０度であることを特徴とする請求項２３に記載のキーデバイス。
【請求項２５】
更に前記複数のキーの表示内容の登録する登録手段を有し、前記登録手段に登録された表示内容の変更を指示することが出来ることを特徴とする請求項２２乃至請求項２４に記載のキーデバイス。
【発明の詳細な説明】
【技術分野】
【０００１】
本発明は、移動携帯電話端末や携帯情報端末（ＰＤＡ：Ｐｅｒｓｏｎａｌ  Ｄｉｇｉｔａｌ  Ａｓｓｉｓｔａｎｃｅ）などの携帯型電子機器、およびその表示方向切り替え方法に関する。
【背景技術】
【０００２】
一般に、携帯型電子機器、例えば移動携帯電話端末やＰＤＡなどは、画像表示を行うディスプレイを有しており、そのディスプレイに、インターネット等を介してメーラやブラウザ等のソフトウェアを使って受信した文字データ（文章）や画像データを画像表示する機能や、カメラで撮影された画像データを撮影された日時等の撮影データ（文字データ等）とともに画像表示する機能を有している。
【０００３】
そして、ディスプレイの表示を見易くするためには、表示される画像が出来る限り大きいことが好ましく、そのために、出来る限り大きな表示面積を有するディスプレイが必要とされるが、携帯型電子機器としては、本体の大きさを小さくして携帯性を良くすることが重要な要素であるので、ディスプレイにあまり大きなスペースを与えたくはない。このように、ディスプレイの表示面積を大きくすることにも限界があるので、携帯型電子機器のディスプレイの形状や大きさは、その携帯型電子機器を使用する目的によって決まる本体の形状や大きさを考慮して決定されることになる。
【０００４】
ここで、携帯型電子機器の例として、図９に一般的な移動携帯電話端末を示す。この移動携帯電話端末１は電話端末として使用されるので、その本体は、通話時の持ち易さが考慮された結果、縦長に形成されている。そして、ディスプレイ３も、その表示面積を出来る限り大きくするため、本体の形状に合わせて縦長に形成されている。
【０００５】
このように、携帯型電子機器においては、本体の形状に応じて、縦長または横長のディスプレイを採用して、ディスプレイの表示面積の大型化を図るのが一般的である。
【０００６】
しかし、図９の移動携帯電話端末１が有する縦長のディスプレイに横書きの文章を表示させた場合、同じ表示面積を有する横長のディスプレイに前記横書きの文章と同じ文章を同じ大きさの文字で表示させた場合に比べて、一行あたりに表示できる文字数が少なくなり、文章の行数が増えてしまう。そのため、ディスプレイに表示された文章が読み難くなるという問題が生じてくる。また、一般的にテレビやパーソナルコンピュータの画面に使用されるディスプレイは横長であるので、縦長のディスプレイでの表示ではどうしても違和感が生ずるという問題もあった。
【０００７】
これらの問題を解決する方法として、縦長のディスプレイに表示させている画像に画像処理を施して９０度回転させ、縦長のディスプレイに対して表示方向が横長の画像を表示させる方法が考案されている。このような画像の回転による表示方向の切り替えは、通常、携帯型電子機器の使用者が、携帯型電子機器に備え付けられた表示方向の切り替え機能を有するキーを押下にすることにより実行されるが、キーを押下する以外の操作でも表示方向の切り替えを実現することも可能である。（例えば、特許文献１参照。）
【特許文献１】特開２０００−３３２８６６号公報（第１頁、図４）
【発明の開示】
【発明が解決しようとする課題】
【０００８】
しかし、上述した従来の携帯型電子機器では、表示方向の縦長と横長とを切り替えてディスプレイを使用することが可能であるため、ディスプレイの画像を見易くすることは出来るが、操作パネルに備えられたキーはディスプレイを切り替えた場合も何ら変化なく同じキーを使用するため、例えば図９の移動携帯電話端末１の縦長のディスプレイに横長の方向の表示をさせたとすれば、キーの表面に施された表示がディスプレイの画像に対して９０度傾いた状態となり、ディスプレイの画像を見ながらのキー入力がし難いという問題があった。
【０００９】
したがって、本発明の目的は、上述の問題を改善し、表示方向の縦長と横長とを切り替えてディスプレイを使用してもキー入力がし易い携帯型電子機器を提供することである。
【課題を解決するための手段】
【００１０】
本発明の携帯型電子機器は、画像を表示するディスプレイと、操作のためのキーデバイスと、前記キーデバイスからの指示によって前記ディスプレイに表示された画像の表示方向を回転させる画像回転手段と、を有する携帯型電子機器であって、前記キーデバイスは、前記ディスプレイに対して前記画像の表示方向の回転と同方向に回転した表示を表面に備えた複数のキーを有する。
【００１１】
また、本発明の携帯型電子機器は、画像を表示するディスプレイと、操作のためのキーデバイスと、前記キーデバイスからの指示によって前記ディスプレイに表示された画像の表示方向を回転させる画像回転手段と、を有する携帯型電子機器であって、前記キーデバイスは、前記画像回転手段による画像の表示方向の回転に対応して前記画像の表示方向の回転と同方向に表面の表示を回転する表示回転手段を備えた複数のキーを有する。
【００１２】
また、本発明の携帯型電子機器は、画像を表示するディスプレイと、操作のためのキーデバイスと、前記キーデバイスからの指示によって前記ディスプレイに表示された画像の表示方向を回転させる画像回転手段と、を有する携帯型電子機器であって、前記キーデバイスは、前記画像回転手段による画像の表示方向の回転に対応して前記画像の表示方向の回転と同方向に表面の表示を回転するとともに表示内容を変更する表示変更手段を備えた複数のキーを有する。
【００１３】
また、本発明の携帯型電子機器の表示方向切り替え方法は、キーデバイスからの指示によってディスプレイに表示された画像の表示方向を９０度回転させるステップと、前記画像の表示方向の回転に対応して、前記キーデバイスに備えられた複数のキーの表面の表示を、前記画像の表示方向の回転と同方向に回転するステップとを有する。
【００１４】
また、本発明の携帯型電子機器の表示方向切り替え方法は、キーデバイスからの指示によってディスプレイに表示された画像の表示方向を９０度回転させるステップと、前記画像の表示方向の回転に対応して、前記キーデバイスに備えられた複数のキーの表面の表示を、前記画像の表示方向の回転と同方向に回転するとともにその表示内容を変更するステップとを有する。
【発明の効果】
【００１５】
本発明の携帯型電子機器は、ディスプレイの表示方向の縦長と横長とを切り替えて使用することを考慮したキー表面の表示を有している。
そのため、本発明によれば、携帯型電子機器の筐体の機構を大きく変えることなく、ディスプレイの表示が縦長であっても横長であっても、キー入力がし易い携帯型電子機器を提供することが出来るという効果がある。
【発明を実施するための最良の形態】
【００１６】
以下，本発明の実施の形態について図面を参照して詳細に説明する。
【００１７】
本発明の携帯型電子機器の第１の実施の形態である移動携帯電話端末の外観を図１に示す。図１を参照すると、移動携帯電話端末１は、キーデバイス２とディスプレイ３とを有している。キーデバイス２には複数のキーが実装されており、それぞれスイッチとして機能する。キーの表面には表示が施されており、それらの表示は、キーが押されたときの機能に関連した表示内容となっている。また、それらキーの表面の表示は、縦長のディスプレイ３に表示された文字データに対して同じ回転方向（図１では、右回りに約４５度）に傾いて表示されている。
【００１８】
複数のキーのうち４は、ディスプレイ３の表示方向切り替えボタンである。表示方向切り替えボタン４が押される毎に、ディスプレイ３は、図１に示す縦長の表示と、図２に示す横長の表示とを切り替えて表示する。以下、図１に示すような縦長の表示を縦表示、図２に示すような横長の表示を横表示と称する。
【００１９】
図３は、第１の実施の形態のユーザインターフェイスの構成を示すブロック図である。キーデバイス２に実装されているあるキーが押されると、それに対応したキー信号９０がキーデバイス２からキーデコーダー６０に出力される。キーデコーダー６０は、入力されたキー信号９０を移動携帯電話端末１の内部の処理で使うコード体系（例えば、アスキーコード）に変換し、入力キーコード８０として出力する。
【００２０】
なお、キーデバイス２に実装された複数のキーのうち表示方向切り替えボタン４が押され、それに対応したキー信号９０がキーデコーダー６０に出力された場合には、キーデコーダー６０は、表示方向指定信号１００をディスプレイドライバ５０に対して出力する。このとき、ディスプレイドライバ５０に対しては、表示方向切り替えボタン４が押される毎に、縦表示を指示する表示方向指定信号１００と横表示を指示する表示方向指定信号１００とが切り替わって出力される。ディスプレイドライバ５０は、表示方向指定信号１００の指示に従い、入力した表示データ７０を、ディスプレイ３での縦表示または横表示に対応するディスプレイデータ１１０に変換してディスプレイ３に出力する機能を持つ。そして、ディスプレイ３はディスプレイデータ１１０に従って縦表示または横表示を行う。
【００２１】
次に、図１から図３を使って第１の実施の形態の動作の説明を行う。
【００２２】
移動携帯電話端末１は、電話として通話の目的で使用される場合には、一般的な移動携帯電話端末と同様な表示形態をとった図１の状態（縦表示）で使われるものとする。そして、例えば電子メールの文字データ（文章）を扱う場合など、図１の状態（縦表示）では横一行に書き込める文字数が少なすぎるようなときには、必要に応じて図２の状態（横表示）にして、横一行に書き込める文字数をより多くすることができる。
【００２３】
ディスプレイ３の表示を、図１の縦表示の状態から図２の横表示の状態へ変更するときの動作について説明する。
【００２４】
ディスプレイ３の表示が図１の縦表示の状態のときに、移動携帯電話端末の使用者が表示方向切り替えボタン４を押すと、キーデバイス２からキーデコーダー６０に対して表示方向切り替えボタン４が押されたことに対応したキー信号９０が出力される。
【００２５】
キーデコーダー６０は、入力されたキー信号９０が表示方向切り替えボタン４を押すことによって得られた信号であり、表示方向切り替えボタン４が押されたのが図１の縦表示の状態のときだったので、ディスプレイドライバ５０に対して横表示を指示する表示方向指定信号１００を出力する。なお、表示方向切り替えボタン４以外のキーが押された場合、キーデコーダー６０は、入力されたキー信号９０を、移動携帯電話端末１の内部の処理で使うコード体系である入力キーコード８０に変換して出力する。
【００２６】
横表示を指示する表示方向指定信号１００を入力したディスプレイドライバ５０は、表示データ７０を横表示に対応したディスプレイデータ１１０に変換してディスプレイ３に出力する。
【００２７】
このように図１の状態で表示方向切り替えボタン４を押した後、移動携帯電話端末１を左回りで９０度倒すことにより、移動携帯電話端末１は、図２の状態になり、横表示端末として扱うことが可能になる。そして、キーデバイス２に実装されている各キーの表示が前述のように右回りに約４５度傾いているので、縦表示、横表示のそれぞれの場合において、各キーの表示が読み辛いという状況を回避することができる。
【００２８】
逆に、図２の横表示の状態から図１の縦表示の状態に切り替える場合には、縦表示から横表示に切り替えるときと同様に表示方向切り替えボタン４を押すことにより、キーデコーダー６０からディスプレイドライバ５０に対して縦表示の指示をする表示方向指定信号１００が出力される。縦表示の指示をする表示方向指定信号１００を入力したディスプレイドライバ５０は、表示データ７０を縦表示に対応したディスプレイデータ１１０に変換してディスプレイ３に出力する。
【００２９】
以上、第１の実施の形態では移動携帯電話端末１を図１の縦表示の状態から左回りで９０度ほど倒して横表示にしているが、右回りで９０度ほど倒して横表示するようにディスプレイドライバ５０を設定することも可能である。その場合、キーの表面に施された表示も変更が必要であり、図１のディスプレイ３に表示された文字データに対して右回りに約４５度に傾いていることが望ましい。
【００３０】
次に、本発明の第２の実施の形態を図４から図６を使って説明する。
【００３１】
本発明の第１の実施の形態においては、図１の縦表示のキーデバイス２のキーの配列と図２の横表示のキーデバイス２のキーの配列とを比べると、キーデバイス２自体が９０度回転しているので、移動携帯電話端末１を使用する状態でのキーの配列が異なってくる。そのため、例えば電話番号の入力に使う数字キーの操作性が、標準的な配列である図１の状態では良くて、９０度倒れた特殊な配列となった図２の状態では悪くなるという状況が発生する。
【００３２】
そこで、第２の実施の形態では、図４、図５に示す移動携帯電話端末１１に実装されているキーデバイス２１の各キーに小型の表示デバイスを内蔵している。すなわち、キーデバイス２１の各キーは、スイッチとして機能するのみでなく、表示デバイスとしても機能しており、表示の内容（方向を含む）や配列を自由に変えることができる。
【００３３】
図６にユーザインターフェイスの構成を示すブロック図を示す。図６のユーザインターフェイスは、図３のユーザインターフェイスと異なり、キーデバイス２１の各キーに内蔵された表示デバイスに数字、文字、記号等を表示させるために、キーディスプレイドライバ１２０を備えている。そして、キーディスプレイドライバ１２０には、予め縦表示と横表示のそれぞれに対応したキーデバイス２１の各キーの配列と、各キーの各表示デバイスに対応した数字、文字、記号等の表示用データが記憶されている。
【００３４】
キーディスプレイドライバ１２０は、キーデコーダー６１から出力される表示方向指定信号１００による縦表示の指示、或いは横表示の指示に応じて、前述の表示用データをキーディスプレイデータ１３１としてキーデバイス２１へ出力する。そして、キーディスプレイデータ１３１を入力したキーデバイス２１は、各キーの表示デバイスにそれぞれに対応する表示用データを表示する。
【００３５】
また、キーディスプレイドライバ１２０は、キーデコーダー６１から出力された表示方向指定信号１００による縦表示の指示、或いは横表示の指示に応じて、キーデコーダー６１に対してキー配列データ１３０を出力する。キーデコーダー６１は、キー配列データ１３０が有効になったら、縦表示のキーデコード処理と横表示のキーデコード処理とを切り替える。キーデコーダー６１は、キーデバイス２１から入力したキー信号９０をキー配列データ１３０に従ってデコード処理しており、入力キーコード８０および表示方向指定信号１００を出力する。
【００３６】
次に発明の第２の実施の形態の動作の説明をする。
【００３７】
移動携帯電話端末１１が図４の縦表示の状態であり、ディスプレイ３とキーデバイス２１の各キーの表示はともに縦表示であるとする。キーデバイス２１が有するキーのうち４１は、表示方向切り替えボタンである。図４の縦表示から図５の横表示に切り替える場合、表示方向切り替えボタン４１を押す。
【００３８】
図６を参照すると、キーデコーダー６１は、表示方向切り替えボタン４１が押される前は縦表示用のキー配列データ１３０が入力され縦表示を指示する表示方向指定信号１００を出力するが、表示方向切り替えボタン４１が押されると、横表示を指示する表示方向指定信号１００を出力する。横表示を指示する表示方向指定信号１００を入力したキーディスプレイドライバ１２０は、横表示用のキーディスプレイデータ１３１をキーデバイス２１に出力するとともに、横表示用のキー配列データ１３０をキーデコーダー６１に出力する。その結果、キーデバイス２１は、横表示用のキーディスプレイデータ１３１によって各キーの機能を横表示で各表示デバイスに表示させる。そして、キーデコーダー６１は、横表示のキー配列としてキー信号９０をデコード処理する。
【００３９】
また、ディスプレイドライバ５０は、横表示を指示する表示方向指定信号１００を入力して、表示データ７０を横表示用データであるディスプレイデータ１１０に変換してディスプレイ３に出力し、ディスプレイ３は、図５に示す横表示の状態となる。第２の実施の形態によれば、縦表示と横表示のためのキーデバイス２１の各キーの配列とキーデバイス２１の各キーの表示データが予めキーディスプレイドライバ１２０に適切に記憶されていることにより、横表示にしてもキーデバイス２１の各キーの表示が読みにくくなることなく、更にキーの配列も使い易い配置にすることが可能になる。
【００４０】
以上、第２の実施の形態では移動携帯電話端末１１を縦表示から左回りで９０度倒すことを前提に横表示したが、移動携帯電話端末１１を縦表示から右回りで９０度倒し、ディスプレイ３の横表示に合わせた方向にキーデバイス２１の各キーの表示を横表示することも勿論可能である。
【００４１】
次に、本発明の第３の実施の形態について説明する。
【００４２】
本発明の第２の実施の形態では縦表示と横表示におけるキーの配列は予め決められた配列のみしか選択できない。そこで第３の実施の形態では、移動携帯電話端末のキーの操作によって、キーの配列を変更できる手段を提供する。
【００４３】
図7に第３の実施の形態のユーザインターフェイスの構成を示す。図７の構成では、第２の実施の形態である図６の構成のキーディスプレイドライバ１２０の代わりに、キーデータコントローラ１４０とキーディスプレイドライバ１２１とを備えている。キーデータコントローラ１４０は、表示方向指定信号１００、リセット信号１６０および入力キーコード８０を入力し、キー配列データ１３０をキーディスプレイドライバ１２１とキーデコーダー６１に出力する。
【００４４】
そして、キー配列を変更するために、キー配列を変更する機能を呼び出す手段が用意されている。例えば、表示方向切り替えボタン４１を長時間押しすることによりキー配列を変更する機能が呼び出されたり、別途スイッチ等を用意してそれを切り替えたり押したりすることによりキー配列を変更する機能を呼び出すことができる。
【００４５】
キーデータコントローラ１４０は、キー配列の変更が指定された場合、キーデバイス２１への表示させるための表示データとして、予め内部に記憶したキー配列の初期表示データ（以下、初期Ｄａｔａと呼ぶ。）と、使用者が任意に記憶可能なキー配列の表示データ（以下、Ｕｓｅｒ  Ｄａｔａと呼ぶ。）とのうち、どちらかを指定することができる。ここで、Ｕｓｅｒ  Ｄａｔａは、移動携帯電話端末の使用者の操作によって、変更して記憶することが可能な表示データであり、一方、初期Ｄａｔａは、移動携帯電話端末の使用者のキー操作によって変更することはできない表示データである。
【００４６】
キーデータコントローラ１４０においてキー配列を変更する動作を、図８を使って説明する。
【００４７】
キーデータコントローラ１４０は、最初に電源が投入された後やリセットされた後などには、図８のＳＴＡＲＴから動作を開始し、縦表示用および横表示用のキーデバイス２１の各キーの配列と各キーの表示内容に対応した初期Ｄａｔａを記憶する（ステップ１５６）。そして、そのときの表示方向指定信号１００の状態に応じた初期Ｄａｔａがキー配列データ１３０として出力され、キーデバイス２１の各キーは、縦表示用或いは横表示用の表示を行う（ステップ１４１）。このとき各キーのキー配列の設定に変更がなければ、各キーの表示はそのままの維持される（ステップ１４２）。
【００４８】
しかし、キー配列を変更する機能が呼び出された場合は、以下の手順でキー配列とキーの表示を変更することができる。キー配列の変更が指定されると縦表示用の配列、或いは横表示用の配列を選択する（ステップ１４３）。
【００４９】
ここで、横表示用の配列が選択されると、表示データとして、横表示の初期Ｄａｔａの設定或いはＵｓｅｒ  Ｄａｔａの設定を選択する（ステップ１４４）。
【００５０】
横表示の初期Ｄａｔａの設定が選択されると、横表示用として横表示の初期Ｄａｔａが記憶される（ステップ１４５）。
【００５１】
また、横表示のＵｓｅｒ  Ｄａｔａの設定が選択された場合は、もし横表示のＵｓｅｒ  Ｄａｔａが過去に一度も設定されていなければ、ステップ１５０、１５２、および１５４により必ず横表示のＵｓｅｒ  Ｄａｔａの入力処理を行うし、横表示のＵｓｅｒ  Ｄａｔａが過去に設定されており、Ｕｓｅｒ  Ｄａｔａの設定を変更する必要がないのであれば、過去に設定された横表示のＵｓｅｒ  Ｄａｔａをそのままにする（ステップ１４７）。
【００５２】
なお、Ｕｓｅｒ  Ｄａｔａを変更して設定する場合は、新たに横表示のＵｓｅｒ  Ｄａｔａをキーデバイス２１から入力する（ステップ１５０）。全ての入力が終了したらＵｓｅｒ  Ｄａｔａに必要な設定が完全に入力されたかどうかをチェックし、もし設定が不完全であれば入力をやり直す（ステップ１５２）。横表示の全ての入力が完全に終了したら、横表示のＵｓｅｒ  Ｄａｔａが記憶される（ステップ１５４）。
【００５３】
ステップ１４３で縦表示用の変更が選択された場合も同様に、表示データとして、縦表示の初期Ｄａｔａの設定或いは縦表示のＵｓｅｒ  Ｄａｔａの設定を選択する（ステップ１６４）。
【００５４】
縦表示の初期Ｄａｔａの設定が選択されると、縦表示用として縦表示の初期Ｄａｔａが記憶される（ステップ１６５）。
【００５５】
また、縦表示のＵｓｅｒ  Ｄａｔａの設定が選択された場合、もし縦表示のＵｓｅｒ  Ｄａｔａが過去に一度も設定されていなければ、ステップ１７０、１７２、および１７４により必ず縦表示のＵｓｅｒ  Ｄａｔａの入力処理を行うし、縦表示のＵｓｅｒ  Ｄａｔａが過去に設定されており、Ｕｓｅｒ  Ｄａｔａの設定を変更する必要がないのであれば、過去に設定された縦表示のＵｓｅｒ  Ｄａｔａをそのままにする（ステップ１６７）。
【００５６】
なお、Ｕｓｅｒ  Ｄａｔａを変更して設定する場合は、新たに縦表示のＵｓｅｒ  Ｄａｔａをキーデバイス２１から入力する（ステップ１７０）。全ての入力が終了したらＵｓｅｒ  Ｄａｔａに必要な設定が完全に入力されたかどうかをチェックし、もし設定が不完全であれば入力をやり直す（ステップ１７２）。縦表示の全ての入力が完全に終了したら、縦表示のＵｓｅｒ  Ｄａｔａが記憶される（ステップ１７４）。
【００５７】
全ての設定が終わったら（ステップ１５５からステップ１４１）、表示方向指定信号１００の状態に応じて、キーデバイス２１の各キーが、横表示或いは縦表示される。また、更に設定をする場合（ステップ１５５からステップ１４３）は、設定を継続する。  
また、使用者が機能を設定できるキーを複数用意しておくことも出来る。この場合、表示を設定できるキーが更に増えることになるので、更にキー配列の自由度を増すことが可能となる。
【００５８】
なお、キーは配列を設定している途中で、万が一キー配列の設定を間違えても、例えばＲｅｓｅｔを実行する等の方法により、初期状態に戻すことが出来るようにすれば、少なくとも全く操作ができなくなるという状態を回避することが出来る。
【図面の簡単な説明】
【００５９】
【図１】本発明の第１の実施の形態の移動携帯電話端末の外観を示す図であり、ディスプレイが縦長の表示（縦表示）した状態を示す。
【図２】本発明の第１の実施の形態の移動携帯電話端末の外観を示す図であり、ディスプレイが横長の表示（横表示）した状態を示す。
【図３】本発明の第１の実施の形態のユーザインターフェイスの構成を示すブロック図。
【図４】本発明の第２の実施の形態の移動携帯電話端末の外観を示す図であり、ディスプレイが縦長の表示（縦表示）した状態を示す。
【図５】本発明の第２の実施の形態の移動携帯電話端末の外観を示す図であり、ディスプレイが横長の表示（横表示）した状態を示す。
【図６】本発明の第２の実施の形態のユーザインターフェイスの構成を示すブロック図。
【図７】本発明の第３の実施の形態のユーザインターフェイスの構成を示すブロック図。
【図８】本発明の第３の実施の形態のキーデータコントローラにおけるキー配列の変更の動作を説明するフローチャート。
【図９】従来の移動携帯電話端末の外観を示す図。
【符号の説明】
【００６０】
１    移動携帯電話端末
２    キーデバイス
３    ディスプレイ
４    表示方向切り替えボタン
１１    移動携帯電話端末
２１    キーデバイス
４１    表示方向切り替えボタン
５０    ディスプレイドライバ
６０    キーデコーダー
６１    キーデコーダー
７０    表示データ
８０    入力キーコード
９０    キー信号
１００    表示方向指定信号
１１０    ディスプレイデータ
１２０    キーディスプレイドライバ
１３０    キー配列データ
１３１    キーディスプレイデータ
１４０    キーデータコントローラ
１６０    リセット信号
【図１】
2005175669.tif 000003
【図２】
2005175669.tif 000004
【図３】
2005175669.tif 000005
【図４】
2005175669.tif 000006
【図５】
2005175669.tif 000007
【図６】
2005175669.tif 000008
【図７】
2005175669.tif 000009
【図８】
2005175669.tif 000010
【図９】
2005175669.tif 000011